(57)【要約】【課題】電源回路におけるソフトスタート動作時間を、商用交流電源ＡＣのレベルにかかわらず一定となるようにする。【解決手段】  ソフトスタート動作の基本的な動作としては、商用交流電源投入のタイミングに対応して時間設定用コンデンサに対して定電流を流すことで、時間設定用コンデンサの両端電位について時間経過に応じた変化を与え、スイッチング周波数が、この時間設定用コンデンサの両端電位により可変されるようにする。そのうえで、商用交流電源レベルを検出して得られた検出出力に応じて、時間設定用コンデンサの両端電圧レベルについての単位時間あたりの変化量を可変する。これにより、商用交流電源レベルに応じて、ソフトスタート動作におけるスイッチング周波数の単位時間あたりの変化量が変化する。この結果、ソフトスタート動作時において、二次側直流出力電圧を規定レベルとするためのスイッチング周波数に到達するまでの時間を同じとするように設定可能となる。【選択図】図２
2006050688.tif 000002
【特許請求の範囲】
【請求項１】
ソフトスタート動作の動作時間を設定するために設けられ、所要のキャパシタンスを有する時間設定用コンデンサと、
商用交流電源が投入されるのに応じて、商用交流電源を元として生成した所要レベルの定電流を上記時間設定用コンデンサに流すようにされた定電流出力手段と、
商用交流電源から生成した直流入力電圧を入力してスイッチングを行うスイッチング素子のスイッチング周波数を可変するもので、上記定電流が流されることによって時間設定用コンデンサの両端電圧が所定レベルに到達するまでの期間においては、時間設定用コンデンサの両端電圧レベルに応じて上記スイッチング周波数を変化させるようにされたスイッチング周波数可変手段と、
商用交流電源レベルを検出するレベル検出手段と、
上記レベル検出手段の検出出力に応じて、時間設定用コンデンサの両端電圧レベルについての単位時間あたりの変化量を可変する変化量可変手段と、
を備えることを特徴とするソフトスタート装置。
【請求項２】
上記変化量可変手段は、上記レベル検出手段の検出出力に応じて、上記定電流出力手段により上記時間設定用コンデンサに流す定電流のレベルを可変する、
ことを特徴とする請求項１に記載にソフトスタート装置。
【請求項３】
上記変化量可変手段は、上記レベル検出手段の検出出力に応じて、上記時間設定用コンデンサとしてのキャパシタンスを可変する、
ことを特徴とする請求項１に記載にソフトスタート装置。
【請求項４】
商用交流電源から生成した直流入力電圧を入力してスイッチングを行うスイッチング素子を備えて成るスイッチング手段と、
商用交流電源が投入されるのに応じて、商用交流電源を元として生成した所要レベルの定電流を上記時間設定用コンデンサに流すようにされた定電流出力手段と、
上記スイッチング素子をスイッチング駆動するもので、上記定電流が流されることによって時間設定用コンデンサの両端電圧が所定レベルに到達するまでの期間においては、時間設定用コンデンサの両端電圧レベルに応じてスイッチング周波数を変化させるようにしてスイッチング素子をスイッチング駆動するようにされたスイッチング駆動手段と、
商用交流電源レベルを検出するレベル検出手段と、
上記レベル検出手段の検出出力に応じて、時間設定用コンデンサの両端電圧レベルについての単位時間あたりの変化量を可変する変化量可変手段と、
を備えることを特徴とするスイッチング電源装置。
【発明の詳細な説明】
【技術分野】
【０００１】
本発明は、スイッチング電源装置において、いわゆるソフトスタート動作が得られるようにするためのソフトスタート装置に関する。また、ソフトスタート機能を備えるスイッチング電源装置に関する。
【背景技術】
【０００２】
スイッチング電源回路（装置）では、例えば商用交流電源の投入開始などにより起動したときに、過電流、過電圧の状態となることが分かっている。このために、電源回路について、いわゆるソフトスタートといわれる動作が得られるように構成したものが知られている（特許文献１、図４参照）。特許文献１には、電流共振形コンバータのハイブリッドＩＣの端子として、ソフトスタート用コンデンサを接続する端子のあることが示されている。なお、ここでいうソフトスタート動作とは、電源の起動時における過電流、過電圧を抑制してスイッチング素子などの部品素子を保護するための動作である。
【０００３】
図７は、上記したソフトスタート機能を有するスイッチング電源回路の構成例を示している。
先ず、この図に示す電源回路においては、商用交流電源ＡＣに対してメイン電源スイッチＳＷが挿入される。このメイン電源スイッチＳＷをオンにすると、商用交流電源ＡＣが投入されて電源回路が起動することになる。商用交流電源ＡＣは、ブリッジ整流回路Ｄｉ及び平滑コンデンサＣｉから成る整流平滑回路により整流平滑化され、平滑コンデンサＣｉの両端電圧として、商用交流電源ＡＣのレベルの等倍に対応する整流平滑電圧Ｅｉが得られる。
【０００４】
上記整流平滑電圧Ｅｉを直流入力電圧として入力して動作するスイッチングコンバータとしては、いわゆる２石のスイッチング素子をハーフブリッジ結合した電流共振形コンバータを備える。
スイッチング素子のハーフブリッジ結合としては、図示するようにして、２石のスイッチング素子Ｑ1，Ｑ2を直列接続するようにされる。そして、このスイッチング素子Ｑ1，Ｑ2の直列接続回路を、整流平滑電圧Ｅｉに対して並列に接続する。
【０００５】
スイッチング駆動部１は、スイッチング素子Ｑ1，Ｑ2をスイッチング駆動するためのものであり、例えばＩＣとして構成される。このスイッチング駆動部１により、スイッチング素子Ｑ1，Ｑ2が、所要のスイッチング周波数により交互にオン／オフするようにしてスイッチング駆動される。
また、スイッチング駆動部１としてのＩＣにおける所定端子に対しては、時間設定用コンデンサＣ2が接続される。この時間設定用コンデンサＣ2は、スイッチング駆動部１としてのＩＣに対する外付け部品であり、後述するソフトスタート機能に関連する。
【０００６】
トランスＴ１は、スイッチング素子Ｑ1，Ｑ2のスイッチング出力を二次側に伝送する。トランスＴ１の一次巻線Ｌ1 の一端は、スイッチング素子Ｑ1 のソースとスイッチング素子Ｑ2 のドレインの接続点（スイッチング出力点）に接続されることで、スイッチング出力が得られるようにされる。
また、一次巻線Ｌ1 の他端は、直列共振コンデンサＣ1と直列に接続されたうえでグランドラインに接続される。この直列共振コンデンサＣ1のキャパシタンスと、一次巻線Ｎ1 を含む絶縁コンバータトランスＰＩＴの漏洩インダクタンス（リーケージインダクタンス）成分とにより、スイッチングコンバータの動作を電流共振形とするための一次側直列共振回路を形成する。
【０００７】
絶縁コンバータトランスＰＩＴの二次巻線Ｌ2には、上記一次巻線Ｌ1に得られたスイッチング出力に応じた交番電圧が誘起される。この交番電圧は、二次巻線Ｌ2に対して二次側整流ダイオードＤo及び平滑コンデンサＣｏから成る半波整流回路により整流平滑化されることで、平滑コンデンサＣｏの両端電圧として二次側直流出力電圧Ｅoが得られる。
【０００８】
上記のようにして構成される図７に示す電源回路のソフトスタート動作としては、次のようになる。
ここでメイン電源スイッチＳＷがオフからオンに切り換えられたとされると、商用交流電源ＡＣが投入されて電源回路が起動することになる。電源回路が起動すると、スイッチング駆動部１において、定電流を出力する電流源が発生するようになっており、この定電流源からの電流により、時間設定コンデンサＣ2への充電を開始する。
【０００９】
起動直後においては、時間設定コンデンサＣ2における充電電荷はほぼ０であり、両端電位としてもほぼ０となっている。この状態では、スイッチング駆動部１では、スイッチング周波数をほぼ上限にまで強制的に上昇させるように動作する。図７に示す電源回路としては、スイッチング周波数が高くなるのに応じて、二次側直流出力電圧Ｅoのレベルを低下させるようになっている。このために、上記したように、起動時においてスイッチング周波数を強制的に高くすることによって、二次側直流出力電圧レベルを強制的に低下させる動作が得られることになる。これにより、電源起動時における二次側直流電圧の急峻なレベル上昇が抑制されるのであるが、これに伴って、一次側の直列共振電流（スイッチング電流）やスイッチング出力電圧についても、急峻なレベル上昇が抑制されることになって、スイッチング素子などをはじめとした部品素子の破壊が防止される。つまり、いわゆるソフトスタート動作による回路保護が図られる。
【００１０】
そして、上記のようにしてソフトスタート動作が開始されて以降は、電流源からの電流によって時間設定コンデンサＣ2への充電が行われていることで、時間設定コンデンサＣ2の両端電圧が徐々に上昇していくことなる。これに応じて、スイッチング駆動部１においては、スイッチング周波数を低下させていくように制御する。スイッチング周波数が低下していくのに応じては、二次側直流出力電圧のレベルが徐々に定常レベルにまで引き上げられていくことになる。
そして、例えば、時間設定コンデンサＣ2の電位が所定以上となると、スイッチング駆動部１におけるスイッチング周波数の強制的な引き上げ制御は以降停止することになる。つまりソフトスタート動作が終了される。ソフトスタート動作が終了した時点では、二次側直流出力電圧は、ほぼ定常に近いレベルにまで引き上げられているので、以降においてスイッチング駆動部１は、通常動作に移行することになる。
【００１１】
上記したソフトスタート動作の説明によると、ソフトスタート動作が開始されてから終了するまでの時間（ソフトスタート動作時間）は、時間設定コンデンサＣ2の両端電圧が所定電位に到達するまでの時間であるということになるが、これは、ソフトスタート動作時間については、外付け部品である時間設定コンデンサＣ2のキャパシタンスの選定によって決めることができる、ということを意味する。
【００１２】
【特許文献１】特開平９−２４７９３３
【発明の開示】
【発明が解決しようとする課題】
【００１３】
ところで、商用交流電源の定格としては、大きくは、日本国や米国などのＡＣ１００Ｖ系と、欧州などのＡＣ２００Ｖ系に分けることができる。このようなＡＣ１００Ｖ系とＡＣ２００Ｖ系の両者の商用交流電源入力に対応する電源回路は、例えばワイドレンジ対応といわれる。
【００１４】
図７に示した電流共振形コンバータとしても、ワイドレンジ対応として構成することは可能なのであるが、実際にワイドレンジ対応として構成した場合には、ソフトスタート動作について、下記のような問題が生じる。
【００１５】
先に説明したように、時間設定コンデンサＣ2に対する充電は、所定レベルの定電流を電流源から流すことにより行われるが、この電流源としての回路は、常に定電流としての一定レベルが得られるように動作する。このため、上記のようにして、図７に示す電源回路をワイドレンジ対応とした場合、商用交流電源としてＡＣ１００Ｖ系が入力されたときとＡＣ２００Ｖ系が入力されたときとに関わらず、上記電流源から流される定電流のレベルは一定となる。このように、時間設定コンデンサＣ2に対する充電電流である定電流のレベルが、商用交流電源ＡＣの定格レベルの変化に対しても一定であることによっては、ＡＣ１００Ｖ系入力時とＡＣ２００Ｖ系入力時とで、ソフトスタート動作時間に大きな差が生じることになる。このことについて、図８を参照して説明する。
【００１６】
図８（ａ）は、ＡＣ１００Ｖ系が入力されたときのソフトスタート動作を示し、図８（ｂ）は、ＡＣ２００Ｖ系が入力されたときのソフトスタート動作を示している。何れの図も、ソフトスタート動作を、電源起動時（商用交流電源投入時）からの時間経過に応じたスイッチング周波数ｆｓ及び二次側直流出力電圧Ｅoのレベルの変化により示している。
【００１７】
電源が起動された直後は、前述したように、スイッチング周波数ｆｓとしては、安定化のための可変制御範囲において、ほぼ上限となる周波数にまで引き上げられ、この後、時間設定コンデンサＣ2の両端電圧の上昇に伴い、スイッチング周波数ｆｓは低下していくことになる。このとき、スイッチング周波数ｆｓの可変制御範囲における上限は、スイッチング駆動部１の仕様として決まるので、図８（ａ）（ｂ）に示すようにして、ＡＣ１００系時とＡＣ２００Ｖ系時とでは、ソフトスタート動作開始時のスイッチング周波数ｆｓとしては、同じとなる。また、上記したように、ＡＣ１００Ｖ系時とＡＣ２００Ｖ系時とに関わらず、時間設定コンデンサＣ2に対する充電電流（定電流）のレベルは一定で同じあるために、時間設定コンデンサＣ2の両端電圧Ｖ1の単位時間に対する上昇量（上昇度）も同じとなる。時間設定コンデンサＣ2の両端電圧の上昇度は、スイッチング周波数ｆｓの低下度に対応する。従って、時間経過に対するスイッチング周波数ｆｓの低下度、つまり、図８（ａ）（ｂ）に示されるスイッチング周波数ｆｓの低下の傾きとしても、ＡＣ１００Ｖ系時とＡＣ２００Ｖ系時とで同じとなる。
【００１８】
図７の電源回路をワイドレンジ対応とする場合においては、商用交流電源ＡＣの入力がＡＣ１００Ｖ系〜ＡＣ２００Ｖ系の範囲で変動するのに対して、二次側直流出力電圧Ｅoのレベルについては、図８（ａ）（ｂ）にも示しているように、所定の定格レベルＬVEによりほぼ一定とする必要がある。このように、二次側直流出力電圧Ｅoが定格レベルＬVEとなるようにするために、電源回路の定常動作時においては、ＡＣ１００Ｖ系時とＡＣ２００Ｖ系時系とで、スイッチング周波数ｆｓについて、それぞれ異なる設定をすることになる。
ソフトスタート動作として、スイッチング周波数ｆｓを引き上げることで二次側直流出力電圧Ｅoのレベルを抑制していることから分かるように、スイッチング周波数ｆｓが高くなるほど、二次側直流出力電圧Ｅoのレベルを低下させることになる。
【００１９】
従って、ＡＣ１００Ｖ系が入力されるときに、二次側直流出力電圧ＥoについてレベルＬVEとするためのスイッチング周波数ｆｓが、例えば図８（ａ）に示す周波数値ｆs1であるとすると、ＡＣ２００Ｖ系時においては、元々の入力電圧レベルがＡＣ１００Ｖ系時よりも高いのであるから、二次側直流出力電圧ＥoをレベルＬVEとするためのスイッチング周波数ｆｓとしては、図８（ｂ）に周波数値ｆs2として示すように、周波数値ｆs1よりも高い所定値をとることになる。
【００２０】
このことをふまえて、ＡＣ１００Ｖ系時とＡＣ２００Ｖ系時とで、ソフトスタート動作を比較してみると、二次側直流出力電圧Ｅoを定格レベルＬVEとするためのスイッチング周波数ｆｓにまで到達するのに、ＡＣ１００Ｖ系時のほうは、図８（ａ）に示すように、期間Ｔａの時間長を要するのに対して、ＡＣ２００Ｖ系時のほうは、図８（ｂ）に示すように、期間Ｔａよりも短い期間Ｔｂとなっていることが分かる。この期間Ｔａと期間Ｔｂの差は、ソフトスタート動作を終了させて定常動作に移行してもよいとするタイミングの差となる。この場合、ＡＣ２００Ｖ系時のほうが、ＡＣ１００Ｖ系時よりも早くソフトスタート動作を終了させて定常動作に移行することができる。
【００２１】
しかしながら、商用交流電源が投入されてから電源回路が定常動作で安定するまでの期間を電源システムの起動時間として考えると、ソフトスタート動作の終了時間に差が生じることは、電源回路の起動時間が、商用交流電源の定格レベルに依り変化してしまうことにつながる。このために、例えば図７に示す電源回路について実際にワイドレンジ対応とすることを考えた場合には、ＡＣ１００Ｖ系時とＡＣ２００Ｖ系時とでの電源システムの立ち上がり時間の差を考慮した設計を行う必要があるなどの問題が生じることになる。
【課題を解決するための手段】
【００２２】
そこで本発明は上記した課題を考慮して、電源装置においてソフトスタート動作を行うソフトスタート装置として次のように構成することとした。
つまり、ソフトスタート動作の動作時間を設定するために設けられ、所要のキャパシタンスを有する時間設定用コンデンサと、商用交流電源が投入されるのに応じて、商用交流電源を元として生成した所要レベルの定電流を時間設定用コンデンサに流すようにされた定電流出力手段と、商用交流電源から生成した直流入力電圧を入力してスイッチングを行うスイッチング素子のスイッチング周波数を可変するもので、定電流が流されることによって時間設定用コンデンサの両端電圧が所定レベルに到達するまでの期間においては、時間設定用コンデンサの両端電圧レベルに応じてスイッチング周波数を変化させるようにされたスイッチング周波数可変手段と、商用交流電源レベルを検出するレベル検出手段と、このレベル検出手段の検出出力に応じて、時間設定用コンデンサの両端電圧レベルについての単位時間あたりの変化量を可変する変化量可変手段とを備えることとした。
【００２３】
また、スイッチング電源装置としては次のように構成することとした。
商用交流電源から生成した直流入力電圧を入力してスイッチングを行うスイッチング素子を備えて成るスイッチング手段と、商用交流電源が投入されるのに応じて、商用交流電源を元として生成した所要レベルの定電流を上記時間設定用コンデンサに流すようにされた定電流出力手段と、スイッチング素子をスイッチング駆動するもので、定電流が流されることによって時間設定用コンデンサの両端電圧が所定レベルに到達するまでの期間においては、時間設定用コンデンサの両端電圧レベルに応じてスイッチング周波数を変化させるようにしてスイッチング素子をスイッチング駆動するようにされたスイッチング駆動手段と、商用交流電源レベルを検出するレベル検出手段と、このレベル検出手段の検出出力に応じて、時間設定用コンデンサの両端電圧レベルについての単位時間あたりの変化量を可変する変化量可変手段とを備えることとした。
【００２４】
上記構成に依れば、ソフトスタート動作の基本的な構成としては、商用交流電源投入のタイミングに対応して時間設定用コンデンサに対して定電流を流すことで、時間設定用コンデンサの両端電位について時間経過に応じた変化を与え、スイッチング周波数が、この時間設定用コンデンサの両端電位により可変されるようにしている。なお、本願発明でいうところのスイッチング素子とは、スイッチング電源装置において直流をスイッチングして交流に電力変換するためのスイッチング素子を指す。
そのうえで、本発明としては、商用交流電源レベルを検出して得られた検出出力に応じて、時間設定用コンデンサの両端電圧レベルについての単位時間あたりの変化量を可変するようにされる。時間設定用コンデンサの両端電圧レベルについての単位時間あたりの変化量が変化すれば、ソフトスタート動作におけるスイッチング周波数の単位時間あたりの変化量も変化する。
【発明の効果】
【００２５】
商用交流電源レベルが相違すれば、二次側直流出力電圧のレベルを所定レベルとするためのスイッチング周波数も相違してくる。このために、従来においては、ソフトスタート動作において、スイッチング周波数が二次側直流出力電圧のレベルを所定レベルとする周波数値に到達するまでの時間について、商用交流電源レベルにより差異が生じていた。
これに対して、本願発明のように、商用交流電源レベルに応じて、スイッチング周波数の単位時間あたりの変化量が可変されることとなれば、商用交流電源レベルに関わらず、ソフトスタート動作において、スイッチング周波数が二次側直流出力電圧のレベルを所定レベルとする周波数値に到達するまでの時間については同等とすることができる。これにより、例えば、商用交流電源レベルにかかわらずスイッチング電源装置の起動時間を一定とすることができる。起動時間が一定となれば、スイッチング電源装置を設計するのにあたって、商用交流電源レベルに応じた起動時間の相違を考慮した設計をする必要が無くなるなどの効果が得られ、特に、いわゆるワイドレンジ対応のスイッチング電源装置に関して有用である。
【発明を実施するための最良の形態】
【００２６】
図１は、本発明を実施するための最良の形態（以下、実施の形態という）として、第１の実施の形態となるスイッチング電源回路（装置）の構成例を示している。本実施の形態の電源回路としては、商用交流電源ＡＣについて、ＡＣ１００Ｖ系の入力と、ＡＣ２００Ｖ系の入力とに対応した、いわゆるワイドレンジ対応とされている。
先ず、この図に示す電源回路においては、商用交流電源ＡＣに対してメイン電源スイッチＳＷが挿入されている。商用交流電源ＡＣを投入して電源回路を起動させるときには、このメイン電源スイッチＳＷをオフからオンに切り換えるようにされる。
メイン電源スイッチＳＷがオンの状態では、商用交流電源ＡＣは、ブリッジ整流回路Ｄｉ及び平滑コンデンサＣｉから成る整流平滑回路と接続される。この整流平滑回路の整流平滑動作により、平滑コンデンサＣｉの両端電圧として、商用交流電源ＡＣのレベルの等倍に対応する整流平滑電圧Ｅｉが得られる。
【００２７】
上記整流平滑電圧Ｅｉを直流入力電圧として入力して動作するスイッチングコンバータとしては、いわゆるハーフブリッジ結合方式による電流共振形コンバータを備えることとしている。
この場合の電流共振形コンバータのスイッチング素子としては、ＭＯＳ−ＦＥＴによる２石のスイッチング素子Ｑ1，Ｑ2を備え、スイッチング素子Ｑ1のソースとスイッチング素子Ｑ2のドレインとを接続していることで、スイッチング素子Ｑ1がハイサイドで、スイッチング素子Ｑ2がローサイドとなる関係により、これらスイッチング素子を直列接続している。そして、このスイッチング素子Ｑ1，Ｑ2の直列接続回路を、整流平滑電圧Ｅｉに対して並列に接続するようにしている。
【００２８】
スイッチング駆動部１は、スイッチング素子Ｑ1，Ｑ2を他励式によりスイッチング駆動するためのものであり、例えばＩＣとしてパッケージングされた構成となっている。このスイッチング駆動部１は、例えば発振回路、駆動回路を内部に有する。スイッチング駆動部１の基本的動作としては、発振回路により所要の周波数信号を生成し、駆動回路によって、この周波数信号を利用してスイッチング素子Ｑ1，Ｑ2をスイッチング駆動するためのドライブ信号（ゲート電圧）をスイッチング素子Ｑ1，Ｑ2の各ゲートに対して印加する。これにより、スイッチング素子Ｑ1，Ｑ2は、所要のスイッチング周波数により交互にオン／オフするようにしてスイッチング動作を行う。
【００２９】
また、スイッチング駆動部１は、ソフトスタート機能も有している。スイッチング駆動部１がソフトスタート動作を行うようにするためには、図示するようにして、外付け部品としてスイッチング駆動部１とアースラインとの間に対して、時間設定用コンデンサＣ2を接続するようにされる。スイッチング駆動部１としてのＩＣでソフトスタート機能を備えるものは、時間設定用コンデンサを接続するための端子を有しており、実際には、時間設定用コンデンサＣ2は、この端子に対して接続される。
【００３０】
また、本実施の形態では、ソフトスタート機能に関連して、外付け部品として、さらに例えば分圧抵抗Ｒ1，Ｒ2，Ｒ3を備える。この場合、分圧抵抗Ｒ1，Ｒ2，Ｒ3は、直列接続されたうえで、平滑コンデンサＣｉに対して並列に接続される。また、分圧抵抗Ｒ2，Ｒ3の接続点（分圧点）を、スイッチング駆動部１と接続している。
これにより、スイッチング駆動部１に対しては、整流平滑電圧Ｅｉを、分圧抵抗Ｒ1，Ｒ2，Ｒ3の抵抗値により設定される所定の分圧比により分圧して得られるレベルの検出電圧Ｖｄが入力されることになる。ここで、整流平滑電圧Ｅｉのレベルは、商用交流電源ＡＣのレベルに対応するので、検出電圧Ｖｄとしても商用交流電源ＡＣのレベルに対応することになる。つまり、検出電圧Ｖｄは、商用交流電源ＡＣのレベルについての検出出力となる。本実施の形態では、スイッチング駆動部１がソフトスタート動作を実行するのに際して検出電圧Ｖｄを利用する。
なお、本実施の形態のスイッチング駆動部１は、ＩＣとして、商用交流電源ＡＣの検出レベルを入力する端子を備えており、分圧抵抗Ｒ1，Ｒ2，Ｒ3の分圧点は、この端子に対して接続するようにされる。また、検出電圧Ｖｄを得るための検出回路部となる分圧回路の構成は、分圧抵抗Ｒ1，Ｒ2，Ｒ3によるものに限定されるものではなく、整流平滑電圧Ｅｉについて所要の分圧比が得られるように設定されていればよいものである。
【００３１】
トランスＴ１は、スイッチング素子Ｑ1，Ｑ2のスイッチング出力を二次側に伝送する。トランスＴ１の一次巻線Ｌ1 の一端は、スイッチング素子Ｑ1 のソースとスイッチング素子Ｑ2 のドレインの接続点（スイッチング出力点）に接続されることで、スイッチング出力が得られるようにされる。
また、一次巻線Ｌ1 の他端は、直列共振コンデンサＣ1と直列に接続されたうえでグランドラインに接続される。
この場合、直列共振コンデンサＣ1及び一次巻線Ｌ1 は直列に接続されているが、この直列共振コンデンサＣ1のキャパシタンスと、一次巻線Ｎ1 を含む絶縁コンバータトランスＰＩＴの漏洩インダクタンス（リーケージインダクタンス）成分とにより、スイッチングコンバータの動作を電流共振形とするための一次側直列共振回路を形成している。
【００３２】
絶縁コンバータトランスＰＩＴの二次巻線Ｌ2には、上記一次巻線Ｌ1に得られたスイッチング出力に応じた交番電圧が誘起される。
そして、この場合においては、二次巻線Ｌ2に対して二次側整流ダイオードＤo及び平滑コンデンサＣｏから成る半波整流回路が接続されており、この半波整流回路の整流平滑動作によって、平滑コンデンサＣｏの両端電圧として二次側直流出力電圧Ｅoが得られる。この二次側直流出力電圧Ｅoは、図示しない負荷に供給される。
【００３３】
なお、この図には示していないが、二次側直流出力電圧Ｅoを安定化する場合には、例えば二次側直流出力電圧Ｅoのレベルを検出し、この検出された二次側直流出力電圧Ｅoのレベル変動に応じて、スイッチング駆動部１においてスイッチング周波数を可変制御するように構成すればよい。スイッチング素子Ｑ1，Ｑ2のスイッチング周波数が可変されれば、一次側直列共振回路の共振周波数と、スイッチング周波数との差に変化が生じることとなって、これが共振インピーダンスの変化として得られる。共振インピーダンスが変化すると、一次側から二次側に伝送される電力量が変化することとなる結果、二次側直流出力電圧Ｅoのレベルをコントロールすることができる。つまり、二次側直流出力電圧Ｅoについて定電圧制御を行うことができる。
【００３４】
上記構成による電源回路におけるソフトスタート動作について説明する。
ここで、オフ状態にあったメイン電源スイッチＳＷがオン状態に切り換えられて、商用交流電源ＡＣが投入されたとする。これに応じて、平滑コンデンサＣｉに対する整流電流の充電が行われることとなって、平滑コンデンサＣｉの両端電圧として、商用交流電源ＡＣの等倍レベルに対応する整流平滑電圧Ｅｉが生じる。また、ここでの図示は省略しているが、この整流平滑電圧Ｅｉにより、スイッチング駆動部１にも起動用の電源電圧が供給されるようになっており、スイッチング駆動部１としては、起動時における動作として、次に説明するようにしてソフトスタート動作を実行することになる。このようにしてソフトスタート動作は、商用交流電源ＡＣの投入に応じたタイミングで実行される動作である。
【００３５】
このソフトスタート動作として、先ず、スイッチング駆動部１は、検出電圧Ｖdを取り込んで、商用交流電源ＡＣの定格レベルがＡＣ１００Ｖ系とＡＣ２００Ｖ系の何れであるのかについて判定する。この判定にあたっては、例えば商用交流電源ＡＣのレベルが１５０Ｖ以下であればＡＣ１００Ｖ系、１５０Ｖ以上であればＡＣ２００Ｖ系であることとしたうえで、検出電圧Ｖdについて、商用交流電源ＡＣとして１５０Ｖ以上に対応するレベルであるのか、１５０Ｖ以下に対応するレベルであるのかについて判別するようにされる。
そして、商用交流電源ＡＣの定格レベルが、ＡＣ１００Ｖ系とＡＣ２００Ｖ系の何れであるのかの判別結果に応じて、スイッチング駆動部１では、内部において、時間設定コンデンサＣ2に対する充電電流である定電流レベルについての切り換え設定を実行する。
上記動作に対応するスイッチング駆動部１内における構成を図２に示す。
【００３６】
図２に示すようにして、定電流を出力する回路系としては、第１電流源１１と、第２電流源１２との２つの電流源を備えるようにされる。これらの電流源は実際には、直流電源電圧Ｖccを入力して、それぞれについて設定された所定の一定レベルの電流を出力する定電流回路として構成される。
【００３７】
そして、第１電流源１１は、時間設定コンデンサＣ2に対してそのまま定電流を流すようにして設けられているのに対して、第２電流源１２は、スイッチ素子Ｑ11を介して時間設定コンデンサＣ2に定電流を流すようにして設けられる。
【００３８】
また、スイッチ素子Ｑ11は、この場合にはＭＯＳ−ＦＥＴが採用されているが、このスイッチ素子Ｑ11のゲートに対してはコンパレータ１３の出力が印加されるようになっている。
コンパレータ１３の非反転入力には基準電圧Ｖrefが入力され、反転入力には、検出電圧Ｖｄが入力される。この基準電圧Ｖrefとしては、商用交流電源ＡＣが１５０Ｖのときに得られる検出電圧Ｖdのレベルが設定される。
商用交流電源ＡＣの定格レベルがＡＣ２００Ｖ系とされて検出電圧Ｖdとしては基準電圧Ｖrefより大きい場合、コンパレータ１３は、Ｌレベルを出力することになって、これにより、スイッチ素子Ｑ11はオフ状態に制御される。スイッチ素子Ｑ11がオフである場合には、第２電流源１２から時間設定コンデンサＣ2に対して定電流を充電する経路がスイッチ素子Ｑ11にて遮断されることになる。従って、時間設定コンデンサＣ2に対する充電電流ｉ1の成分としては、第１電流源１１から出力される定電流のみとなる。
これに対して、商用交流電源ＡＣの定格レベルがＡＣ１００Ｖ系とされて検出電圧Ｖdが基準電圧Ｖrefより小さくなる場合、コンパレータ１３は、Ｈレベルを出力することになり、スイッチ素子Ｑ11はオン状態に制御されるので、第２電流源１２から時間設定コンデンサＣ2に対して定電流を充電する経路が形成されることになる。
これにより、時間設定コンデンサＣ2に対する充電電流ｉ1は、第１電流源１１からの定電流と第２電流源１２からの定電流とが合成されたものとなる。つまり、充電電流ｉ1の電流量（レベル）としては、時間設定コンデンサＣ2に対する充電電流ｉ1の成分が第１電流源１１から出力される定電流のみである場合と比較して、第２電流源１２からの定電流が合成される分、増加することになる。
【００３９】
このようにして、コンパレータ１３は、商用交流電源ＡＣの定格レベルがＡＣ１００Ｖ系とＡＣ２００Ｖ系の何れであるのかを判別してスイッチ素子Ｑ11のオン／オフコントロールを行う。そして、ＡＣ２００Ｖ系である場合には、スイッチ素子Ｑ11をオフ状態とすることで、第１電流１１から出力される定電流のみによる充電電流（２００Ｖ系対応充電電流）ｉ1を流すようにされる。これに対して、ＡＣ１００Ｖ系である場合には、スイッチ素子Ｑ11をオン状態とすることで、第１電流源１１及び第２電流源１２から出力される定電流を合成した、２００Ｖ系対応充電電流ｉ1よりもレベルが所定量増加された１００Ｖ系対応充電電流ｉ1を流すようにされる。この動作が、ソフトスタート動作の１つとしてスイッチング駆動部１１の起動時において実行されることになる。
【００４０】
ソフトスタート動作における、充電電流ｉ1のレベルとスイッチング周波数ｆｓとの関係について、図３を参照して説明する。図３（ａ）（ｂ）には、それぞれＡＣ１００Ｖ系時とＡＣ２００Ｖ系時での、ソフトスタート動作が開始されてからの時間設定コンデンサＣ2の両端電圧Ｖ1及びスイッチング周波数ｆｓの変化を示している。
【００４１】
先に説明したように、ソフトスタート動作として、スイッチング駆動部１では、時間設定コンデンサＣ2の両端電圧Ｖ1に応じてスイッチング周波数ｆｓを可変制御する。前述したように、スイッチング駆動部１では発振回路（オシレータ）を備えており、この発振回路により発生される発振信号の周波数によりスイッチング周波数が決定される。スイッチング駆動部１は、ソフトスタート動作時においては、この時間設定コンデンサＣ2の両端電圧Ｖ1に応じて、上記発振回路により発生させる発振信号の周波数を変化させる動作が得られるように構成されている。なお、このようにして、ソフトスタート動作として、時間設定コンデンサＣ2の両端電圧Ｖ1に応じてスイッチング周波ｆｓ（オシレータの発振周波数）を可変するための具体的構成としては、周知、若しくは将来的に周知となる技術を採用すればよい。
【００４２】
時間設定コンデンサＣ2の両端電圧Ｖ1は、充電電流ｉ1により充電が行われることで徐々に上昇していくものとなるが、充電開始のタイミングでは、時間設定コンデンサＣ2における充電電荷は０であるので、図３（ａ）（ｂ）に示すようにして、両端電圧Ｖ1としても０レベルであり、従って、スイッチング周波数ｆｓとしては、初期的には、可変範囲におけるほぼ上限の状態となっている。
【００４３】
そして、この状態から充電電流ｉ1の充電が継続されていくことで、これに応じて両端電圧Ｖ1は上昇していくことになる。このとき、充電電流ｉ1のレベル（電流量）は、ＡＣ２００Ｖ系時と比較してＡＣ１００Ｖ系時のほうが大きいことから、図３（ａ）（ｂ）から分かるように、両端電圧Ｖ1の上昇を示す直線の傾きは、ＡＣ２００Ｖ系時よりも、ＡＣ１００Ｖ系時のほうが大きくなっている。つまり、単位時間あたりの両端電圧Ｖ1の増加量（変化量）は、ＡＣ２００Ｖ系時よりもＡＣ１００Ｖ系時のほうが大きい。
スイッチング周波数ｆｓは、両端電圧Ｖ1に対して反比例的な変化となっている。従って、単位時間あたりの両端電圧Ｖ1の増加量（変化量）についてＡＣ２００Ｖ系時よりもＡＣ１００Ｖ系時のほうが大きくなっていることで、スイッチング周波数ｆｓの単位時間あたりの低下量としても、ＡＣ２００Ｖ系時よりもＡＣ１００Ｖ系時のほうが大きくなる  
【００４４】
上記図３に示した関係を前提として、本実施の形態のソフトスタート動作をＡＣ１００Ｖ系時とＡＣ２００Ｖ系時とで比較してみると、図４のようになる。図４（ａ）は、ＡＣ１００Ｖ系時のソフトスタート動作を示し、図４（ｂ）は、ＡＣ２００Ｖ系時のソフトスタート動作を示す。これらの図においては、ソフトスタート動作を、電源起動時（スイッチング駆動部１の起動時）からの時間経過に応じたスイッチング周波数ｆｓ及び二次側直流出力電圧Ｅoのレベルの変化により示している。
【００４５】
上記もしたように、スイッチング駆動部１が起動した直後において、時間設定コンデンサＣ2に対する充電が開始されるタイミングでは、時間設定コンデンサＣ2の両端電圧Ｖ1が０レベルである。このために、図４（ａ）（ｂ）に示すようにして、起動直後におけるスイッチング周波数ｆｓとしては、安定化のための可変制御範囲におけるほぼ上限の周波数値となっている。
【００４６】
そして、この後、充電電流ｉ1により時間設定コンデンサＣ2への充電が行われることで、時間設定コンデンサＣ2の両端電圧が上昇していくことになるが、これに伴い、スイッチング周波数ｆｓは上記上限周波数から低下していく。なお、本実施の形態としても、スイッチング周波数ｆｓの可変制御範囲における上限は、スイッチング駆動部１の仕様として決まるので、図４（ａ）（ｂ）に示すＡＣ１００系時とＡＣ２００Ｖ系時とで、ソフトスタート動作開始時のスイッチング周波数ｆｓは同じとなる。
【００４７】
本実施の形態の電源回路では、前述もしたようにスイッチング周波数ｆｓが変化することによって、共振インピーダンスを変化させることとなり、これが二次側直流出力電圧Ｅoのレベルを変化させることになる。また、本実施の形態の場合においては、一次側直列共振回路の共振周波数に対してスイッチング周波数ｆｓの可変範囲を高く設定している。このために、スイッチング周波数ｆｓを高くするほど、二次側直流出力電圧Ｅoのレベルを低下させる傾向となる。
ソフトスタート動作として、上記のようにしてスイッチング周波数ｆｓを上限まで引き上げることによっては、二次側直流出力電圧Ｅoを最も強く抑制する動作を得ていることになる。これにより、電源起動時における二次側直流出力電圧Ｅoの急峻なレベル上昇を抑制することになる。このようにして、二次側直流出力電圧Ｅoのレベル上昇が抑制されるのに伴っては、一次側の直列共振電流（スイッチング電流）やスイッチング出力電圧の急峻なレベル上昇も抑制されることになる。これにより、起動時の過電圧、過電流に対して、スイッチング素子などをはじめとした回路部品が保護されることになる。
そして、以降において、徐々にスイッチング周波数ｆｓを低下させていくことで、二次側直流出力電圧Ｅoのレベルも徐々に上昇させていき、最終的には、通常動作時に対応する定格レベルにまで到達させるようにする。そして、この状態に至ったらソフトスタート動作を終了させて、定常動作に移行させることになる。
【００４８】
ここで、図１に示す電源回路をワイドレンジ対応とするのにあたり、商用交流電源ＡＣの入力がＡＣ１００Ｖ系〜ＡＣ２００Ｖ系の範囲で変動するのに対して、二次側直流出力電圧Ｅoのレベルについては、図４（ａ）（ｂ）に示すように所定の定格レベルＬVEでほぼ一定とすべきこととなる。つまり、ＡＣ１００Ｖ系時とＡＣ２００Ｖ系時とで、商用交流電源ＡＣの入力レベルが異なるのに対して、二次側直流出力電圧Ｅoは同等レベルを維持しなければならない。このために、電源回路の定常動作時においては、ＡＣ１００Ｖ系時とＡＣ２００Ｖ系時系とで、スイッチング周波数ｆｓについて、それぞれ異なる周波数値を設定をすることになる。
つまり、ＡＣ１００Ｖ系が入力されるときに、二次側直流出力電圧ＥoをレベルＬVEとするためのスイッチング周波数ｆｓが、例えば図３（ａ）に示す周波数値ｆs1であるとすると、ＡＣ２００Ｖ系時においては、二次側直流出力電圧ＥoをレベルＬVEとするためのスイッチング周波数ｆｓとしては、図８（ｂ）に周波数値ｆs2として示すように、周波数値ｆs1よりも高い所定値をとる。
【００４９】
そのうえで本実施の形態としては、図３により説明したようにして、スイッチング周波数ｆｓについての単位時間あたりの減少量は、ＡＣ２００Ｖ系時よりもＡＣ１００Ｖ系時のほうが、ＡＣ２００Ｖ系時対応充電電流とＡＣ１００Ｖ系時対応充電電流との電流レベルに応じて所定割合分大きいものとなっている。この相違は、図４にも示されている。
【００５０】
つまり、本実施の形態のソフトスタート動作としては、ＡＣ１００Ｖ系時とされて、スイッチング周波数についてＡＣ２００Ｖ系時の周波数値fs2よりも低い周波数値fs1に到達させるべき場合においては、ＡＣ２００Ｖ系時よりも大きな単位時間あたりの減少量によってスイッチング周波数ｆｓを低下させていくようにしている。なお、相対的には、ＡＣ２００Ｖ系時とされて、スイッチング周波数についてＡＣ１００Ｖ系時の周波数値fs1よりも高い周波数値fs2に到達させるべき場合においては、ＡＣ１００Ｖ系時よりも小さな単位時間あたりの減少量によってスイッチング周波数ｆｓを低下させていくようにしている、ということになる。
【００５１】
これにより、図４（ａ）（ｂ）に示すようにして、起動時（時間ｔ＝０）に対応する上限のスイッチング周波数ｆｓの状態から、周波数値fs1、fs2に到達させるまでに要する時間長である期間Ｔａ，Ｔｂをほぼ同じとすることができる。なお、この期間Ｔａ，Ｔｂが経過した後は、ソフトスタート動作が終了して定常動作に移行することになる。
このようにして、本実施の形態では、ＡＣ１００Ｖ系時とＡＣ２００Ｖ系時とで、ソフトスタート動作に要する時間をほぼ同じとなるようにしている。これにより、例えば図１に示す電源回路をワイドレンジ対応として製造するのにあたって、ソフトスタート動作の動作時間の相違を考慮した設計などを行う必要はなくなって、それだけ開発効率などが向上することになる。
【００５２】
また、スイッチング駆動部１におけるソフトスタート機能に関する従来の構成としては、図２に示す構成から、例えば第２電流源１２及びコンパレータ１３を省略して、第１電流源１１のみを備えるものとすればよいのであるが、このような従来の構成と、本実施の形態の構成とを比較した場合には次のようなことがいえる。
つまり、本実施の形態では、時間設定コンデンサＣ2への充電電流ｉ1について、ＡＣ２００Ｖ系時においては、例えば従来と同等の電流レベルを設定し、ＡＣ１００Ｖ系時において、従来よりも増加させた電流レベルを設定しているということがいえる。
このことは、ソフトスタート動作の動作時間について、ＡＣ２００Ｖ系時の期間Ｔｂに合わせるようにして、ＡＣ１００系時の期間Ｔａを従来よりも短縮させているということを意味する。
このようにして、ソフトスタート動作を短縮させることによっては、本実施の形態の電源回路を搭載する電源システム若しくは、この電源システムを搭載する電子機器としてみた場合に、その起動時間が短縮されるという利点も得られることになる。
【００５３】
図５は、本発明の第２の実施の形態としての電源回路の構成例を示している。なお、この図において図１と同一部分には同一符号を付して説明を省略する。また、スイッチング駆動部１において充電電流ｉ1を生成する電流源系の構成は、図２と同様でよいものとされる。
この図においては、商用交流電源ＡＣの正極に対して、メイン電源スイッチＳＷを介して平滑コンデンサＣ3の正極端子を接続し、その負極端子をアースラインに対して接続している。また、この場合、分圧抵抗Ｒ1，Ｒ2，Ｒ3の直列接続回路は、この平滑コンデンサＣ3に対して並列に接続される。
【００５４】
上記のようにして挿入される平滑コンデンサＣ3には、商用交流電源ＡＣの正極の半波の期間による充電が行われる。つまり、商用交流電源ＡＣを半波整流するようなかたちでの充電が行われることで、その両端電圧として、商用交流電源ＡＣの等倍に対応する直流電圧（平滑電圧）Ｅ1が得られる。従って、この直流電圧Ｅ1としても、整流平滑電圧Ｅｉと同様にして、商用交流電源ＡＣのレベルに対応していることになり、分圧抵抗Ｒ1，Ｒ2，Ｒ3により得られる検出電圧Ｖdとしても、商用交流電源ＡＣのレベルを検出していることになる。
そして、この検出電圧Ｖdを入力して、先の第１の実施の形態と同様に、ソフトスタート動作において時間設定コンデンサＣ2に対する充電電流ｉ1のレベルを可変するようにされる。これにより、この第２の実施の形態の電源回路としても、図３及び図４により説明したのと同様に、ＡＣ１００Ｖ系時とＡＣ２００Ｖ系時とで、ソフトスタート動作時間が同じとなる。
【００５５】
図６は、本発明の第３の実施の形態としての電源回路の構成例を示している。なお、この図において、図１及び図５と同一部分については、同一符号を付して説明を省略する。  
【００５６】
先ず、この図６に示す電源回路におけるスイッチング駆動部１の内部構成として、時間設定コンデンサＣ2に対して充電電流ｉ1を流すための電流源系は、図２に示す回路構成から、電流源１２及びコンパレータ１３を省略して電流源１１のみとした構成を採るものとされる。
そのうえで、図６に示すようにして、充電電流ｉ1が流れる系について、時間設定コンデンサＣ2に加え、さらにもう１つの時間設定コンデンサＣ2A、及びトランジスタＱ10を備えるようにされる。この時間設定コンデンサＣ2Aは、トランジスタＱ10のコレクタ−エミッタ間の経路を介するようにして、時間設定コンデンサＣ2に対して並列に接続される。また、分圧抵抗Ｒ1，Ｒ2，Ｒ3の分圧点は、トランジスタＱ10のベースに対して接続されている。
なお、この実施の形態に関しては、電圧Ｖ1について充電電圧ということにする。
【００５７】
このような構成において、トランジスタＱ10は、検出電圧Ｖｄについて、１５０Ｖ以上商用交流電源ＡＣに対応するレベルであるときにオン状態となり、１５０Ｖ以上商用交流電源ＡＣに対応するレベルであるときにはオフ状態となるようにされている。
これにより、ＡＣ１００Ｖ系時においては、トランジスタＱ10がオフであることで、充電電流ｉ1が時間設定コンデンサＣ2Aに流れる経路は遮断されるので、充電電流ｉ1は、時間設定コンデンサＣ2に対してのみ流れるようにされる。つまり、時間設定コンデンサＣ2のキャパシタンスのみに対する充電となる。この場合の充電電圧Ｖ1は、時間設定コンデンサＣ2のみの両端電圧となる。
これに対して、ＡＣ２００Ｖ系時においては、トランジスタＱ10がオン状態となることで、充電電流ｉ1が時間設定コンデンサＣ2Aに流れる経路が導通することになり、充電電流ｉ1は、時間設定コンデンサＣ2//Ｃ2Aの並列回路に対して流れるようにされるため、Ｃ2＋Ｃ2Aにより表されるキャパシタンスに対する充電となるものである。そして、この場合の充電電圧Ｖ1は、時間設定コンデンサＣ2//Ｃ2Aの並列回路の両端電圧となる。
【００５８】
このことから、第３の実施の形態としては、先ず、時間設定コンデンサを充電する充電電流ｉ1のレベルについては商用交流電源ＡＣのレベルにかかわらず一定であることとしている。これに対して、時間設定コンデンサについては、Ｃ2//Ｃ2Aの並列接続を１つの時間設定コンデンサとしてとらえた場合に、この時間設定コンデンサのキャパシタンスを商用交流電源ＡＣに応じて可変する構成を採っている、ということがいえる。
そして、上記したキャパシタンスの可変動作によれば、ソフトスタート動作時における充電電圧Ｖ1の単位時間あたりの上昇量は、ＡＣ２００Ｖ系時のほうがＡＣ１００Ｖ系時よりも少ないものとなる。これにより、スイッチング周波数ｆｓについての単位時間あたりの低減量としても、ＡＣ２００Ｖ系時のほうがＡＣ１００Ｖ系時よりも少なく、その傾きは緩やかになる。このことは、相対的には、スイッチング周波数ｆｓについての単位時間あたりの低減量について、ＡＣ１００Ｖ系時のほうがＡＣ２００Ｖ系時よりも大きなものとなっていることを示す。
ＡＣ２００Ｖ系時とＡＣ１００Ｖ系時との間で、上記したようなスイッチング周波数ｆｓについての関係が得られることで、結果的には、先に図３及び図４により説明したのと同様のソフトスタート動作となる。つまり、ＡＣ２００Ｖ系時とＡＣ１００Ｖ系時とで、ソフトスタート動作に要する時間を同じとすることができる。
【００５９】
なお、第３の実施の形態において、スイッチング駆動部１内の電流源により生成される充電電流ｉ1としての定電流について従来と同等のレベルを設定し、また、時間設定コンデンサＣ2のキャパシタンスについても従来と同等としたとすると、ＡＣ１００Ｖ系時とＡＣ２００Ｖ系時とでのソフトスタート動作時間は同じには成るものの、ＡＣ２００Ｖ系時におけるソフトスタート動作時間を延長するようにして、従来のＡＣ１００Ｖ系時のソフトスタート動作時間（図８の期間Ｔａ）に合わせるようにする動作となる。
そこで、第３の実施の形態において、先の第１及び第２の実施の形態のようにして、ＡＣ１００Ｖ系時とＡＣ２００Ｖ系時のソフトスタート動作時間を、元々のＡＣ２００Ｖ系時のソフトスタート動作時間（図８の期間Ｔｂ）で同じになるようにしたいのであれば、次のようにすればよい。
つまり、先ず、スイッチング駆動部１内における電流源については、従来よりも増加した電流レベルによる定電流（充電電流ｉ1）が生成されるように構成する。これにより、ソフトスタート動作時間を短縮できる。この電流レベルとしては、例えばＡＣ１００Ｖ系時にけるソフトスタート動作により時間設定コンデンサＣ2に対してのみ充電を行った場合に、例えば、従来と同等のＡＣ２００Ｖ系時のソフトスタート動作時間（図８の期間Ｔｂ）にまで短縮されるように設定すればよいことになる。
このようにして充電電流ｉ1のレベルが従来よりも増加された分、そのままでは、ＡＣ２００Ｖ系時におけるソフトスタート動作時間が図８の期間Ｔｂよりも短くなる。そこで、ＡＣ２００Ｖ系時のソフトスタート動作時間について図８の期間Ｔｂと同じとなる程度に延長されるように、時間設定コンデンサＣ2Aのキャパシタンスを設定すればよい。
【００６０】
なお、上記第３の実施の形態についての説明では、トランジスタＱ10をスイッチとして機能させているが、トランジスタＱ10を増幅器として機能させる構成とすることも考えられる。
この場合には、商用交流電源ＡＣが連続的に変化したとすると、これに応じてトランジスタＱ10のコレクタ電流が可変されて、時間設定コンデンサＣ2Aに分流させる充電電流ｉ1の成分量を可変させることになる。つまり、時間設定コンデンサＣ2//Ｃ2Aの並列接続を１つの時間設定コンデンサとしてのキャパシタンスとしてみた場合に、このキャパシタンスを商用交流電源ＡＣのレベルに応じて連続的に可変させることになる。
【００６１】
また、上記実施の形態による説明では、ソフトスタート動作時間について、従来のＡＣ２００Ｖ系のソフトスタート動作時間に合わせるようにして同じとする旨を説明しているが、本発明としては、先ず、商用交流電源ＡＣの変化にかかわらず同じソフトスタート動作時間が維持されるようにされればよいのであって、実際に設定されるソフトスタート動作時間は、例えば、回路保護のために必要とされるソフトスタートの動作時間や、電源システム、機器として要求される起動時間などを考慮して適宜任意に設定されるべきものである。
【００６２】
また、上記実施の形態では、本発明に基づくソフトスタート機能をハーフブリッジ方式で他励式による電流共振形コンバータに適用しているが、本発明が適用される電源回路としては、これに限定されるべきではない。例えば、電流共振形コンバータとしては、４石のスイッチング素子を備えるフルブリッジ結合方式も知られている。また、電流共振形コンバータ以外の共振形コンバータとして、電圧共振形コンバータも知られており、この電圧共振形コンバータもスイッチング周波数により二次側直流出力電圧のレベル設定が可能である。本発明はこれらの電源回路をはじめ、各種の電源回路に適用可能である。また、スイッチング駆動方式としては、自励式も知られている。自励式では、自励発振駆動回路によってスイッチング周波数を設定するとともにスイッチング駆動信号を生成するのであるが、このような自励式の構成に対して、時間設定コンデンサＣ2に対して定電流を充電し、時間設定コンデンサＣ2の両端電圧に応じてスイッチング周波数（自励発振駆動回路の発振周波数）を制御するようにされたソフトスタート回路を組み合わせることが可能とされる。つまり、本発明に基づくソフトスタート機能を自励式のスイッチングコンバータに適用することも可能とされる。
【図面の簡単な説明】
【００６３】
【図１】本発明の第１の実施の形態としての電源回路の構成例を示す回路図である。
【図２】第１（第２）の実施の形態としての電源回路のスイッチング駆動部において、時間設定コンデンサに対して定電流を流すための部位の構成を示す図である。
【図３】実施の形態のソフトスタート動作として、時間設定コンデンサの両端電圧とスイッチング周波数の時間経過に応じた変化を、ＡＣ１００Ｖ系時とＡＣ２００Ｖ系時系時とで比較して示す図である。
【図４】実施の形態のソフトスタート動作を、スイッチング周波数と二次側直流出力の時間経過に応じた変化により示す図である。
【図５】第２の実施の形態としての電源回路の構成例を示す回路図である。
【図６】第３の実施の形態としての電源回路の構成例を示す回路図である。
【図７】従来の電源回路の構成例を示す回路図である。
【図８】図７に示す電源回路のソフトスタート動作を、スイッチング周波数と二次側直流出力の時間経過に応じた変化により示す図である。
【符号の説明】
【００６４】
１  スイッチング駆動部、１１  第１電流源、１２  第２電流源、１３  コンパレータ、ＡＣ  商用交流電源、ＳＷ  メイン電源スイッチ、Ｄｉ  ブリッジ整流回路、Ｃｉ  平滑コンデンサ、Ｒ1，Ｒ2，Ｒ3  分圧抵抗、Ｃ2，Ｃ2A  時間設定コンデンサ、Ｑ1，Ｑ2  スイッチング素子、Ｔ１  トランス、Ｌ1  一次巻線、Ｌ2  二次巻線、Ｃ1  一次側直列共振コンデンサ、Ｄo二次側整流ダイオード、Ｃo二次側平滑コンデンサ、Ｑ10 トランジスタ、Ｑ11  スイッチ素子
【図１】
2006050688.tif 000003
【図２】
2006050688.tif 000004
【図３】
2006050688.tif 000005
【図４】
2006050688.tif 000006
【図５】
2006050688.tif 000007
【図６】
2006050688.tif 000008
【図７】
2006050688.tif 000009
【図８】
2006050688.tif 000010